(57)【特許請求の範囲】
【請求項１】
動画配信装置から受信した動画データに基づく動画を構成するフレームの特徴に応じた特徴データを生成するデータ生成手段と、
前記データ生成手段が生成した前記特徴データを送信するデータ送信手段と、
前記動画データに画像処理を施す画像処理手段と、
動画データに基づく動画を再生する動画再生手段とを含む受信再生端末、および
不適切な動画であるか否かを判定するための判定用データが記憶されている記憶手段と、
前記受信再生端末の前記データ送信手段が送信した前記特徴データと合致する前記判定用データが前記記憶手段に記憶されている場合に、前記特徴データに応じた動画データが不適切であることを示す判定結果情報を前記受信再生端末に送信する情報送信手段とを含む管理端末を備え、
前記動画データが不適切であることを示す判定結果情報が送信された場合に、
前記画像処理手段は、前記動画データに画像処理を施し、
前記動画再生手段は、前記画像処理手段が前記画像処理を施した動画データに基づく動画を再生する
ことを特徴とする動画監視システム。
【請求項２】
前記管理端末は、前記受信再生端末の前記データ生成手段が生成した前記特徴データに合致する前記判定用データが前記記憶手段に記憶されているか否かの判定と、前記判定において前記特徴データに合致する前記判定用データが前記記憶手段に記憶されていると判定した場合に、前記特徴データに応じた動画における不適切な被写体の範囲を示す位置情報の生成とを行う判定手段を含み、
前記情報送信手段は、前記判定手段が前記位置情報を生成した場合に、前記位置情報を含む判定結果情報を前記受信再生端末に送信し、
前記受信再生端末の前記画像処理手段は、前記位置情報に基づいて、前記不適切な被写体の範囲に前記画像処理を施す
ことを特徴とする請求項１に記載の動画監視システム。
【請求項３】
前記画像処理手段は、前記位置情報に基づいて、前記不適切な被写体の範囲を他の画像に置き換える前記画像処理を施す
ことを特徴とする請求項２に記載の動画監視システム。
【請求項４】
前記受信再生端末は、前記管理端末の前記情報送信手段が送信した前記判定結果情報を受信する受信手段を含み、
前記データ送信手段は、送信した前記特徴データに応じた前記判定結果情報を前記受信手段が受信した場合に、前記特徴データに応じた前記フレームに後続するフレームの特徴データを送信する
請求項１から請求項３のうちいずれかに記載の動画監視システム。
【請求項５】
前記データ生成手段は、前記フレームの局所特徴量に応じて特徴データを生成する
請求項１から請求項４のうちいずれかに記載の動画監視システム。
【請求項６】
動画配信装置から受信した動画データに基づく動画を構成するフレームの特徴に応じた特徴データを生成するデータ生成ステップと、
前記データ生成ステップで生成した前記特徴データを送信する送信ステップと、
前記動画データに画像処理を施す画像処理ステップと、
動画データに基づく動画を再生する動画再生ステップとを含み、
不適切な動画であるか否かを判定するための判定用データが記憶されている記憶手段と、前記送信ステップで送信された前記特徴データと合致する前記判定用データが前記記憶手段に記憶されている場合に、前記特徴データに応じた動画データが不適切であることを示す判定結果情報を送信する情報送信手段とを含む管理端末から、前記動画データが不適切であることを示す判定結果情報が送信された場合に、
前記画像処理ステップで、前記動画データに画像処理を施し、
前記動画再生ステップで、前記画像処理ステップにおいて前記画像処理を施した動画データに基づく動画を再生する
ことを特徴とする動画監視方法。
【請求項７】
コンピュータに、
動画配信装置から受信した動画データに基づく動画を構成するフレームの特徴に応じた特徴データを生成するデータ生成処理と、
前記データ生成処理で生成した前記特徴データを送信する送信処理と、
前記動画データに画像処理を施す画像加工処理と、
動画データに基づく動画を再生する動画再生処理とを実行させ、
不適切な動画であるか否かを判定するための判定用データが記憶されている記憶手段と、前記送信処理で送信された前記特徴データと合致する前記判定用データが前記記憶手段に記憶されている場合に、前記特徴データに応じた動画データが不適切であることを示す判定結果情報を送信する情報送信手段とを含む管理端末から、前記動画データが不適切であることを示す判定結果情報が送信された場合に、
前記画像加工処理で、前記動画データに画像処理を施させ、
前記動画再生処理で、前記画像加工処理において前記画像処理を施した動画データに基づく動画を再生させる
ための動画監視用プログラム。
【発明の詳細な説明】
【技術分野】
【０００１】
本発明は、配信される動画を監視することができる動画監視システム、動画監視方法、および動画監視用プログラムに関する。
【背景技術】
【０００２】
インターネット等の通信ネットワークを介して、動画を受信中にも再生可能に提供する動画配信サービスがある。そのような動画配信サービスでは、例えば、不適切な被写体が写りこんでいたり、著作権を侵害していたりする等の不適切な動画が配信され得る。
【０００３】
そこで、特許文献１には、管理サーバと動画配信サービスの提供を受けて動画を受信したクライアント端末とが当該動画を送受信して、当該動画が不適切であるか否かに応じて当該動画の再生を制御する方法が記載されている。
【０００４】
また、特許文献２には、動画配信サーバにアップロードされている動画における所定のタイミングの映像をダウンロードして、アップロードされた動画を監視するシステムが記載されている。
【先行技術文献】
【特許文献】
【０００５】
【特許文献１】特開２００９−４９９４９号公報
【特許文献２】国際公開第２０１２／１３２５３２号
【特許文献３】国際公開第２０１３／０７３２７３号
【発明の概要】
【発明が解決しようとする課題】
【０００６】
特許文献１に記載されている方法は、クライアント端末が、配信された動画を管理サーバに送信し、当該管理サーバが、送信された当該動画とデータベースに予め登録されている情報とに基づいて不適切でないと判断した場合に、当該クライアント端末に当該動画を送信する。そして、当該クライアント端末は、管理サーバから送信された動画を再生する。
【０００７】
したがって、クライアント端末に配信された動画は、管理サーバとの間で送受信されるので、送受信されるデータ量が多くなり、処理負荷や、クライアント端末と管理サーバとの間の通信ネットワークにおける通信負荷が過重になるという問題がある。
【０００８】
特許文献２に記載されているシステムは、監視を強化するために映像をダウンロードする間隔を短くすると、動画配信サーバとの間で送受信されるデータ量が多くなり、処理負荷や、動画配信サーバとの間の通信ネットワークにおける通信負荷が過重になるという問題がある。
【０００９】
そこで、本発明は、処理負荷や通信負荷の増大を良好に抑制しつつ、配信される動画を監視することができる動画監視システム、動画監視方法、および動画監視用プログラムを提供することを目的とする。
【課題を解決するための手段】
【００１０】
本発明による動画監視システムは、動画配信装置から受信した動画データに基づく動画を構成するフレームの特徴に応じた特徴データを生成するデータ生成手段と、データ生成手段が生成した特徴データを送信するデータ送信手段と、動画データに画像処理を施す画像処理手段と、動画データに基づく動画を再生する動画再生手段とを含む受信再生端末、および不適切な動画であるか否かを判定するための判定用データが記憶されている記憶手段と、受信再生端末のデータ送信手段が送信した特徴データと合致する判定用データが記憶手段に記憶されている場合に、特徴データに応じた動画データが不適切であることを示す判定結果情報を受信再生端末に送信する情報送信手段とを含む管理端末を備え、動画データが不適切であることを示す判定結果情報が送信された場合に、画像処理手段は、動画データに画像処理を施し、動画再生手段は、画像処理手段が画像処理を施した動画データに基づく動画を再生することを特徴とする。
【００１１】
本発明による動画監視方法は、動画配信装置から受信した動画データに基づく動画を構成するフレームの特徴に応じた特徴データを生成するデータ生成ステップと、データ生成ステップで生成した特徴データを送信する送信ステップと、動画データに画像処理を施す画像処理ステップと、動画データに基づく動画を再生する動画再生ステップとを含み、不適切な動画であるか否かを判定するための判定用データが記憶されている記憶手段と、送信ステップで送信された特徴データと合致する判定用データが記憶手段に記憶されている場合に、特徴データに応じた動画データが不適切であることを示す判定結果情報を送信する情報送信手段とを含む管理端末から、動画データが不適切であることを示す判定結果情報が送信された場合に、画像処理ステップで、動画データに画像処理を施し、動画再生ステップで、画像処理ステップにおいて画像処理を施した動画データに基づく動画を再生することを特徴とする。
【００１２】
本発明による動画監視用プログラムは、コンピュータに、動画配信装置から受信した動画データに基づく動画を構成するフレームの特徴に応じた特徴データを生成するデータ生成処理と、データ生成処理で生成した特徴データを送信する送信処理と、動画データに画像処理を施す画像加工処理と、動画データに基づく動画を再生する動画再生処理とを実行させ、不適切な動画であるか否かを判定するための判定用データが記憶されている記憶手段と、送信ステップで送信された特徴データと合致する判定用データが記憶手段に記憶されている場合に、特徴データに応じた動画データが不適切であることを示す判定結果情報を送信する情報送信手段とを含む管理端末から、動画データが不適切であることを示す判定結果情報が送信された場合に、画像加工処理で、動画データに画像処理を施させ、動画再生処理で、画像処理ステップにおいて画像処理を施した動画データに基づく動画を再生させることを特徴とする。
【発明の効果】
【００１３】
本発明によれば、処理負荷や通信負荷の増大を良好に抑制しつつ、配信される動画を監視することができる。
【図面の簡単な説明】
【００１４】
【図１】本発明の第１の実施形態の動画監視システムの構成例を示すブロック図である。
【図２】本発明の第１の実施形態の動画監視システムにおけるクライアント端末および管理サーバの構成例を示すブロック図である。
【図３】本発明の第１の実施形態の動画監視システムにおけるクライアント端末の動作を示すフローチャートである。
【図４】本発明の第１の実施形態の動画監視システムにおける管理サーバの動作を示すフローチャートである。
【図５】本発明の第２の実施形態の動画監視システムの構成例を示すブロック図である。
【発明を実施するための形態】
【００１５】
実施形態１．
本発明の第１の実施形態の動画監視システム１００について、図面を参照して説明する。図１は、本発明の第１の実施形態の動画監視システム１００の構成例を示すブロック図である。図１に示すように、本発明の第１の実施形態の動画監視システム１００は、クライアント端末２００と管理サーバ３００とを含む。そして、図１に示すように、クライアント端末２００および管理サーバ３００は、動画配信サーバ４００が接続された通信ネットワーク５００に接続されている。なお、通信ネットワーク５００は、例えば、インターネットである。また、図１に示す例では、動画配信サーバ４００および管理サーバ３００は、一の通信ネットワーク５００を介してクライアント端末２００に接続されているが、動画配信サーバ４００および管理サーバ３００は、互いに異なる通信ネットワークを介してクライアント端末２００に接続されてもよい。
【００１６】
図２は、本発明の第１の実施形態の動画監視システム１００におけるクライアント端末２００および管理サーバ３００の構成例を示すブロック図である。なお、図２において、通信ネットワーク５００は省略されている。図２に示すように、本発明の第１の実施形態の動画監視システム１００におけるクライアント端末２００は、リダイレクト処理実行部２１０および再生処理実行部２２０を含む。
【００１７】
また、図２に示すように、リダイレクト処理実行部２１０は、動画データ取得部２１１、特徴データ変換部２１２、および特徴データ送信部２１３を含む。
【００１８】
動画データ取得部２１１は、通信ネットワーク５００を介して、動画配信サーバ４００から動画データを受信する。そして、動画データ取得部２１１は、受信した動画データを特徴データ変換部２１２および再生処理実行部２２０に入力する。特徴データ変換部２１２は、動画データ取得部２１１が入力した動画データの特徴に応じた特徴データを生成して特徴データ送信部２１３に入力する。特徴データ送信部２１３は、特徴データ変換部２１２が入力した特徴データを管理サーバ３００に送信する。なお、動画データは、音声データや文字データ等の他の形式のデータが含まれたマルチメディアデータであってもよい。
【００１９】
特徴データについて説明する。特徴データとは、当該特徴データを生成する対象となる画像の特徴量、および当該特徴量のデータ量が示されるデータである。本例では、特徴データ変換部２１２は、特徴データを生成するために、まず、動画データ取得部２１１が入力した動画データにおいて、例えば、再生時に１秒間隔となるタイミングに応じたフレームをそれぞれ選択する。そして、特徴データ変換部２１２は、選択したフレームの特徴量を抽出して、当該特徴量および当該特徴量のデータ量が示される特徴データを生成する。なお、特徴データ変換部２１２は、例えば、ＳＩＦＴ（Ｓｃａｌｅ−Ｉｎｖａｒｉａｎｔ  Ｆｅａｔｕｒｅ  Ｔｒａｎｓｆｏｒｍ）のアルゴリズムに基づいて、特徴量の抽出を行う。また、特徴データ変換部２１２は、例えば、特許文献３に記載されている方法で局所特徴量を抽出するように構成されていてもよい。そのような構成によれば、特徴データのデータ量をより少なくすることができる。
【００２０】
図２に示すように、再生処理実行部２２０は、検査結果受信部２２１、動画処理部２２２、および入出力処理部２２３を含む。
【００２１】
検査結果受信部２２１は、通信ネットワーク５００を介して、管理サーバ３００が送信した、不適切な被写体が写りこんだ動画の動画データ（以下、単に不適切な動画データという）であるか否かを示す検査結果情報を受信する。動画処理部２２２は、検査結果受信部２２１が受信した検査結果情報によって動画データが不適切でないことを示されている場合に、入出力処理部２２３に、リダイレクト処理実行部２１０の動画データ取得部２１１が入力した動画データを入力する。また、動画処理部２２２は、検査結果情報によって動画データが不適切であることが示されている場合に、動画データ取得部２１１が入力した動画データに画像処理を施し、入出力処理部２２３に、画像処理後の動画データを入力する。入出力処理部２２３には、例えば、キーボード等の入力機器（図示せず）、およびディスプレイやスピーカ等の出力機器（図示せず）が接続されている。そして、入出力処理部２２３は、ユーザによって入力機器になされた操作に従って、動画の送信を要求する送信要求情報を動画配信サーバ４００に送信したり、動画処理部２２２が入力した動画データに基づく動画を出力機器に入力して再生させたりする。
【００２２】
なお、クライアント端末２００は、例えば、プログラム制御に従って処理を実行するＣＰＵ（Ｃｅｎｔｒａｌ  Ｐｒｏｃｅｓｓｉｎｇ  Ｕｎｉｔ）が搭載されたコンピュータや、携帯通信端末等である。
【００２３】
図２に示すように、本発明の第１の実施形態の動画監視システム１００における管理サーバ３００は、特徴データ受信部３１０、被写体データベース３２０、特徴データ照合部３３０、および検査結果送信部３４０を含む。
【００２４】
特徴データ受信部３１０は、クライアント端末２００の特徴データ送信部２１３が送信した特徴データを通信ネットワーク５００を介して受信して、特徴データ照合部３３０に入力する。被写体データベース３２０には、不適切な画像（例えば、被写体）に応じた特徴量が予め登録されている。特徴データ照合部３３０は、特徴データ送信部２１３が入力した特徴データによって示される特徴量に合致する特徴量が被写体データベース３２０に登録されているか否かを判定する。そして、特徴データ照合部３３０は、当該特徴データによって示される特徴量に合致する特徴量が被写体データベース３２０に登録されていると判定した場合に、以下の処理を行う。すなわち、特徴データ照合部３３０は、不適切な画像であること、および当該特徴データによって示される特徴量が抽出されたフレームにおいて、被写体データベース３２０に登録されている特徴量の被写体の範囲を示す位置情報を含む検査結果情報を生成する。つまり、位置情報によって、当該フレームにおいて不適切な被写体の範囲が示される。そして、特徴データ照合部３３０は、生成した検査結果情報を検査結果送信部３４０に入力する。なお、特徴データ照合部３３０は、例えば、不適切な被写体の範囲として矩形状の範囲を特定し、特定した範囲の四隅のそれぞれを示す座標に応じた位置情報を生成する。
【００２５】
なお、特徴データ照合部３３０が行う、特徴データによって示される特徴量に合致する特徴量が被写体データベース３２０に登録されているか否かを判定には、例えば、画像認識サービスＧＡＺＩＲＵ（登録商標）で採用されている画像認識技術が用いられる。
【００２６】
次に、本発明の第１の実施形態の動画監視システム１００の動作について説明する。図３は、本発明の第１の実施形態の動画監視システム１００におけるクライアント端末２００の動作を示すフローチャートである。図３に示すように、クライアント端末２００のリダイレクト処理実行部２１０の動画データ取得部２１１は、通信ネットワーク５００を介して、動画配信サーバ４００から動画データを受信する（ステップＳ１０１）。そして、動画データ取得部２１１は、ステップＳ１０１の処理で受信した動画データを特徴データ変換部２１２および再生処理実行部２２０の動画処理部２２２に入力する。
【００２７】
特徴データ変換部２１２は、動画データ取得部２１１が入力した動画データに基づいて、再生時に１秒間隔となるフレームを順次選択し、選択したフレームの特徴に応じた特徴データを順次生成する（ステップＳ１０２）。そして、特徴データ変換部２１２は、生成した特徴データを特徴データ送信部２１３に順次入力する。
【００２８】
特徴データ送信部２１３は、管理サーバ３００に、特徴データ変換部２１２が入力した特徴データを送信する（ステップＳ１０３）。
【００２９】
また、検査結果受信部２２１が、ステップＳ１０３の処理で送信した特徴データに応じた検査結果情報を管理サーバ３００が送信して通信ネットワーク５００を介して受信した場合に（ステップＳ１０４のＹ）、以下の処理を行う。すなわち、特徴データ送信部２１３が、ステップＳ１０３の処理で送信した特徴データに応じたフレームに後続するフレームに基づく特徴データの管理サーバ３００への送信を開始する（ステップＳ１０５）。
【００３０】
検査結果受信部２２１が受信した検査結果情報によって動画データが不適切でないことが示されている場合に（ステップＳ１０６のＮ）、動画処理部２２２は、入出力処理部２２３に、動画データ取得部２１１が入力した動画データを入力して、ステップＳ１０８の処理に移行する。
【００３１】
検査結果受信部２２１がステップＳ１０４の処理で受信した検査結果情報によって動画データが不適切であることが示されている場合に（ステップＳ１０６のＹ）、動画処理部２２２は、動画データ取得部２１１が入力した動画データに画像処理を施し（ステップＳ１０７）、入出力処理部２２３に、画像処理後の動画データを入力して、ステップＳ１０８の処理に移行する。
【００３２】
動画処理部２２２が検査結果情報に基づいて動画データに施す画像処理について説明する。本例では、動画データが不適切であることを示している検査結果情報は、位置情報を含む。そして、位置情報によって、当該動画データが再生された場合に不適切な被写体が再生される範囲が示されている。よって、動画処理部２２２は、当該動画データに、位置情報によって示されている範囲に代替画像を配置する画像処理を施す。なお、動画データに、位置情報によって示されている範囲に代替画像を配置する画像処理には、例えば、ＯｐｅｎＣＶにおけるｃｖＣｏｐｙ関数が用いられる。
【００３３】
入出力処理部２２３は、動画処理部２２２が入力した動画データに基づく動画を再生する（ステップＳ１０８）。
【００３４】
次に、本発明の第１の実施形態の動画監視システム１００における管理サーバ３００の動作について説明する。図４は、本発明の第１の実施形態の動画監視システム１００における管理サーバ３００の動作を示すフローチャートである。
【００３５】
図４に示すように、管理サーバ３００の特徴データ受信部３１０は、クライアント端末２００の特徴データ送信部２１３がステップＳ１０３の処理で送信した特徴データを通信ネットワーク５００を介して受信した場合に（ステップＳ２０１のＹ）、受信した特徴データを特徴データ照合部３３０に入力する。
【００３６】
特徴データ照合部３３０は、特徴データ受信部３１０が入力した特徴データによって示される特徴量に合致する特徴量が被写体データベース３２０に登録されているか否かを判定する（ステップＳ２０２）。そして、特徴データ照合部３３０は、当該特徴データによって示される特徴量に合致する特徴量が被写体データベース３２０に登録されていると判定した場合に（ステップＳ２０２のＹ）、動画データが不適切であると判断して、位置情報を含み、動画データが不適切であることを示す検査結果情報を生成する（ステップＳ２０３）。また、特徴データ照合部３３０は、当該特徴データによって示される特徴量に合致する特徴量が被写体データベース３２０に登録されていないと判定した場合に（ステップＳ２０２のＮ）、動画データが不適切でないと判断して、動画データが不適切でないことを示す検査結果情報を生成する（ステップＳ２０４）。
【００３７】
検査結果送信部３４０は、特徴データ照合部３３０がステップＳ２０３またはステップＳ２０４の処理で生成した検査結果情報をクライアント端末２００に送信する（ステップＳ２０５）。
【００３８】
本実施形態によれば、クライアント端末２００が、動画配信サーバ４００から受信した動画データの特徴に応じた特徴データを生成して管理サーバ３００に送信する。そして、管理サーバ３００が、送信された特徴データに基づいて、不適切な動画データであるか否かを判定し、判定結果に応じた検査結果情報をクライアント端末２００に送信する。クライアント端末２００は、送信された検査結果情報に応じて動画データに画像処理を施して、画像処理後の動画を再生する。したがって、クライアント端末２００と管理サーバ３００との間で動画データが送受信されることがないので、クライアント端末２００および管理サーバ３００の処理負荷や、通信ネットワーク５００の通信負荷の増大を良好に抑制しつつ、動画配信サーバ４００から配信された動画データを監視することができる。
【００３９】
また、本実施形態によれば、管理サーバ３００が、不適切な動画データであると判定した場合に、不適切な被写体の範囲に応じた位置情報をクライアント端末２００に送信する。そして、クライアント端末２００は、送信された位置情報に基づいて、動画データに画像処理を施して動画を再生する。したがって、本実施形態によれば、不適切な被写体の再生が防止される。また、不適切な被写体の範囲のみに画像処理を施し、残部はそのままに画像を再生することができる。
【００４０】
さらに、本実施形態によれば、不適切な動画データであると判定するための、特徴データと照合される特徴量は、管理サーバ３００の被写体データベース３２０に登録される。したがって、当該被写体データベース３２０の登録内容を更新することにより、複数のクライアント端末２００に配信された動画データを監視することができる。そして、複数のクライアント端末２００における不適切な被写体の再生を防止することができる。
【００４１】
実施形態２．
次に、本発明の第２の実施形態の動画監視システム１０について、図面を参照して説明する。図５は、本発明の第２の実施形態の動画監視システム１０の構成例を示すブロック図である。図５に示すように、本発明の第２の実施形態の動画監視システム１０は、受信再生端末２０と管理端末３０とを含む。
【００４２】
受信再生端末２０は、図１および図２に示す本発明の第１の実施形態におけるクライアント端末２００に相当する。管理端末３０は、図１および図２に示す本発明の第１の実施形態における管理サーバ３００に相当する。
【００４３】
図５に示すように、受信再生端末２０は、データ生成部２１、データ送信部２２、画像処理部２３、および動画再生部２４を含む。
【００４４】
データ生成部２１は、図２に示す本発明の第１の実施形態における特徴データ変換部２１２に相当する。データ送信部２２は、図２に示す本発明の第１の実施形態における特徴データ送信部２１３に相当する。画像処理部２３は、図２に示す本発明の第１の実施形態における動画処理部２２２に相当する。動画再生部２４は、図２に示す本発明の第１の実施形態における入出力処理部２２３に相当する。
【００４５】
データ生成部２１は、動画配信装置（図１および図２に示す動画配信サーバ４００に相当）から受信した動画データに基づく動画を構成するフレームの特徴に応じた特徴データを生成する。データ送信部２２は、データ生成部２１が生成した特徴データを送信する。画像処理部２３は、動画データに画像処理を施す。動画再生部２４は、動画データに基づく動画を再生する。
【００４６】
また、図５に示すように、管理端末３０は、記憶部３２、および情報送信部３４を含む。
【００４７】
記憶部３２は、図２に示す本発明の第１の実施形態における被写体データベース３２０に相当する。情報送信部３４は、図２に示す本発明の第１の実施形態における検査結果送信部３４０に相当する。
【００４８】
記憶部３２には、不適切な動画であるか否かを判定するための判定用データが記憶されている。情報送信部３４は、受信再生端末２０のデータ送信部２２が送信した特徴データと合致する判定用データが記憶部３２に記憶されている場合に、特徴データに応じた動画データが不適切であることを示す判定結果情報を受信再生端末２０に送信する。
【００４９】
そして、動画データが不適切であることを示す判定結果情報が送信された場合に、画像処理部２３が、動画データに画像処理を施し、動画再生部２４が、画像処理部２３が画像処理を施した動画データに基づく動画を再生する。
【００５０】
本実施形態によれば、処理負荷や通信負荷の増大を良好に抑制しつつ、配信される動画を監視することができる。
【符号の説明】
【００５１】
１０、１００    動画監視システム
２０    受信再生端末
２１    データ生成部
２２    データ送信部
２３    画像処理部
２４    動画再生部
３０    管理端末
３２    記憶部
３４    情報送信部
２００    クライアント端末
２１０    リダイレクト処理実行部
２１１    動画データ取得部
２１２    特徴データ変換部
２１３    特徴データ送信部
２２０    再生処理実行部
２２１    検査結果受信部
２２２    動画処理部
２２３    入出力処理部
３００    管理サーバ
３１０    特徴データ受信部
３２０    被写体データベース
３３０    特徴データ照合部
３４０    検査結果送信部
４００    動画配信サーバ
５００    通信ネットワーク
【図１】
0006569315.tif 000002
【図２】
0006569315.tif 000003
【図３】
0006569315.tif 000004
【図４】
0006569315.tif 000005
【図５】
0006569315.tif 000006